(57)【要約】【課題】かばんの表面と裏面とを裏返して使うこともできるというリバーシブルバッグの定義にとらわれず、リュックサックならではのリバーシブルなリュックサックを提供する。【解決手段】肩ひも２，２を備えた背胴３と前胴４とマチ５とを有してなるリュックサックを、その縦割り方向に、一周にわたりオープンファスナー６を備えるようにして、オープンファスナーを開閉することで、肩ひもを備えた背胴などから、前胴などを自在に取り付けたり取り外したりすることができるようにする。【選択図】図４
2018038768.tif 000002
【特許請求の範囲】
【請求項１】
肩ひもを備えた背胴と前胴とマチとを有してなるリュックサックにおいて、
前記リュックサックが、その縦割り方向に、一周にわたりオープンファスナーを備えていることを特徴とするリュックサック。
【請求項２】
前記リュックサックの縦割り方向が、前胴とマチの継ぎ合わせ部であることを特徴とする請求項１に記載のリュックサック。
【請求項３】
前記オープンファスナーが、２つのスライダーを頭合わせに取り付けたダブルスライダーであることを特徴とする請求項１に記載のリュックサック。
【発明の詳細な説明】
【技術分野】
【０００１】
この発明は、リュックサックに関し、特にリバーシブルなリュックサックに関する。
【背景技術】
【０００２】
リバーシブルなリュックサックとしては、肩ひも（特許文献１では肩掛部という。）をかばん本体部から取り外せるようにすることで、リバーシブルなリュックサックが提案されている（例えば、特許文献１参照）。このリュックサックでは、２つのスライダーを頭合わせに取り付けたファスナー（オープンファスナーではない。）をかばん本体部の底面から右側面、上面、左側面、底面にかけて連続して取り付けることで、ファスナーを全開にすると、かばん本体部の表面と裏面とを裏返せるようになっている。
【先行技術文献】
【特許文献】
【０００３】
【特許文献１】特開２００６−２９６５６０号公報（段落００１３，００３０、図６）
【発明の概要】
【発明が解決しようとする課題】
【０００４】
しかしながら、前記特許文献１に係るリュックサックでは、肩ひもをかばん本体部から取り外せるように、肩ひもをファスナーによってかばん本体部に着脱自在に固定しているために、強度が一般的な縫い付けに比べて劣ってしまう。特に、肩ひもの取り付け部分には最も負荷がかかるため、前記特許文献１に係るリュックサックでは、強度に不安が生じてしまう。
【０００５】
また、前記特許文献１に記載されているように、かばんの表面と裏面とを裏返して使うこともできるリバーシブルバッグは、ハンドバッグに限定されていた。そして、リュックサックは肩ひもがハンドバッグの持ち手に比べて長いため、リュックサックをリバーシブルなものとして構成するという発想がなかった。
【０００６】
そこで、この発明では、前記した課題を解決し、かばんの表面と裏面とを裏返して使うこともできるというリバーシブルバッグの定義にとらわれず、リュックサックならではのリバーシブルなリュックサックを提供することを目的とする。
【課題を解決するための手段】
【０００７】
前記課題を解決するため、請求項１に係る発明では、リュックサックの縦割り方向に、一周にわたりオープンファスナーを取り付けた。
【０００８】
請求項２に係る発明では、前記リュックサックの縦割り方向を、前胴とマチの継ぎ合わせ部にした。
【０００９】
請求項３に係る発明では、前記オープンファスナーを、２つのスライダーを頭合わせに取り付けたダブルスライダーにした。
【発明の効果】
【００１０】
請求項１に係る発明によれば、肩ひもを備えた背胴と前胴とマチとを有してなるリュックサックを、その縦割り方向に、一周にわたりオープンファスナーを備えるようにしたので、オープンファスナーを開閉することで、肩ひもを備えた背胴などから、前胴などを自在に取り付けたり取り外したりすることができる。
【００１１】
そこで、請求項１に係る発明によれば、肩ひもを備えた背胴などから、前胴などを自在に取り付けたり取り外したりできるので、取り外した前胴などを裏返して、取り付け直すことができる。ここで、前胴などの表面と裏面を異なるデザインにしておくと、前胴などを裏返して２つのデザインを楽しむことができる。
【００１２】
また、請求項１に係る発明によれば、肩ひもを備えた背胴などから、前胴などを自在に取り付けたり取り外したりできるので、最も負荷がかかる肩ひもの取り付けを、従来どおり、縫い付けにすることができる。そのため、請求項１に係る発明によれば、前記特許文献１に係るリュックサックのようにリュックサックの強度、具体的には肩ひもの取り付け部分の強度が劣ることもない。
【００１３】
請求項２に係る発明によれば、リュックサックの縦割り方向を、前胴とマチの継ぎ合わせ部にしたので、オープンファスナーを開閉することで、背胴とマチから前胴を、より分かりやすくは、リュックサックからリュックサックの正面であり、リュックサックの顔（以下、フェイスという。）ともいえる前胴を自在に取り付けたり取り外したりすることができる。
【００１４】
そこで、請求項２に係る発明によれば、リュックサックからリュックサックのフェイスともいえる前胴を自在に取り付けたり取り外したりできるので、取り外した前胴を裏返して、取り付け直すことができる。ここで、前胴の表面と裏面を異なるデザインにしておくと、前胴を裏返して２つのデザインを楽しむことができる。
【００１５】
また、請求項２に係る発明によれば、リュックサックからリュックサックのふたともいえる前胴を自在に取り外しできるので、前胴を取り外すと、リュックサックの中を隅々まで見られる。そこで、請求項２に係る発明によれば、リュックサックの中を見ながら荷物を詰めることができるので、すき間なく荷物を詰めることができ、必要な荷物だけを取り出すこともできる。
【００１６】
請求項３に係る発明によれば、オープンファスナーを２つのスライダーを頭合わせに取り付けたダブルスライダーにしたので、ファスナーをリュックサックの縦割り方向一周にわたり、どの位置でも開閉することができる。
【図面の簡単な説明】
【００１７】
【図１】実施形態に係るリバーシブルなリュックサックの斜視図である。
【図２】実施形態に係るリバーシブルなリュックサックの分解図である。
【図３】実施形態に係るリバーシブルなリュックサックの要部拡大図である。
【図４】実施形態に係るリバーシブルなリュックサックのリバーシブルの仕組みを示す説明図である。
【図５】（ａ）は実施形態に係るリバーシブルなリュックサックのリバーシブルの仕組みを示す前胴の説明図のうち、前胴の表面を示す説明図であり、（ｂ）は前胴の裏面を示す説明図である。
【図６】実施形態に係るリバーシブルなリュックサックの荷物を詰めたり取り出したりする状態を示す説明図である。
【発明を実施するための形態】
【００１８】
まず、この発明の創作の基礎となる事項について簡単に説明する。出願人は１９８３年創業のバッグ製造メーカーであり、永きにわたり大手アパレルと物作りに取り組むことで培った、製品に対する徹底した品質管理、最新の手法を取り入れた生産技術のノウハウなどを生かし、製品の製造・開発に努めている。近年では、オリジナルブランド「ＦＵＬＬＣＬＩＰ」（登録第５６２６０３０号）として、フィッシング関連のアイテムを中心にバッグ、ポーチ、革小物、アパレル、ヘッドウェアーなどを展開している。
【００１９】
発明者は、主にフィッシング関連のアイテムの企画から製造、販売までを行っており、近年ではアウトドアバッグやカジュアルバッグも取り扱っている。そして、発明者は、バッグ職人として実用性を重視しており、「必要な物を収納しやすいこと。取り出しやすくて、そのあとにまた収納するときもスムーズなこと」にこだわってきた。この発明は、まさにこのこだわりから創作されたものである。
【００２０】
発明者は、日ごろから必要な物を収納しやすく、取り出しやすいことにこだわって製品の開発に努めているところ、リュックサックでは必要な物を手探りで収納したり、手探りで取り出したりしていることに着目した。そして、発明者は、手探りしなくてはならないのは、リュックサックの開口部が狭いからと考え、開口部を広げることに取り組み始めた。
【００２１】
発明者は、前記特許文献１に係るリュックサックのように、ファスナー（オープンファスナーではない。）をリュックサックの底面から右側面、上面、左側面、底面にかけて連続して取り付けることで、前胴が１８０度まで開くリュックサックを開発し、手探りしなくてはならないという従来のリュックサック課題を解決した。
【００２２】
ここで、出願人は、「縫製をすべて日本で行うこだわり。」「私たちの思いを妥協することなく形にし、なおかつ製品の品質を維持するためには、どうしても繊細でち密な日本の職人技が必要です。製品に対する職人たち一人一人の思いを集め、練り上げ、究極の形を求め試行錯誤を繰り返す。この当たり前の積み重ねが、私たちの一貫した物作りの姿勢です。」とのポリシーを持つ。そして、発明者は、このポリシーに従い、リュックサックの開口部を広げることについて、究極の形を求め試行錯誤を繰り返したところ、リュックサックの一周にわたりファスナーを取り付けられること、さらに、ファスナーをオープンファスナーにすると、前胴を自在に取り付けたり取り外したりすることができることを見いだし、この発明を創作するに至ったものである。
【００２３】
次に、この発明の実施形態について、適宜図面を参照しながら詳細に説明する。図１は、実施形態に係るリバーシブルなリュックサックの斜視図である。図１に示すように、リバーシブルなリュックサック１は、肩ひも２，２を備えた背胴３と前胴４とマチ５とを有して構成されている。そして、実施形態に係るリバーシブルなリュックサック１では、その縦割り方向に、ここでは、前胴４とマチ５の継ぎ合わせ部に、一周にわたりオープンファスナー６を備えるように構成されている。なお、リュックサックの縦方向とは、リュックサックを背負ったときの上下方向（頭がある方が上、足のある方が下である。）をいう。
【００２４】
肩ひも２，２は、ひも状の部材である。肩ひも２，２は、左右の肩に掛けてリュックサックを背負えるようにする部材である。
【００２５】
背胴３は、リュックサックを背負ったときに、背中に接する側の部分であり、背、後ろ胴ともいう。ここで、胴とは、かばんやハンドバッグの主要部分を示す慣用語であり、荷物を入れる最も大きな本体部分をいう。
【００２６】
前胴４は、リュックサックの正面の部分であり、表、表胴ともいう。
【００２７】
マチ５とは、袋の幅出し部分である。なお、図１では、背胴３、前胴４、マチ５を別部材のように図示しているところ、背胴３、前胴４、マチ５は、その部分を示すものであり別部材でなくても構わない。
【００２８】
オープンファスナー６は、末端まで滑らせると留め具が外れ、左右または上下に分けられるファスナーであり、開製品ともいわれる商品である。ここでは、オープンファスナー６には、２つのスライダー６１，６１が頭合わせ（拡大図の６１ａがスライダー６１の頭側を示す。）に取り付けられている。
【００２９】
図２は、実施形態に係るリバーシブルなリュックサック１の分解図である。図２に示すように、実施形態に係るリバーシブルなリュックサック１では、オープンファスナー６を全開にすると、背胴３とマチ５から前胴４を取り外せる。
【００３０】
図３は、実施形態に係るリバーシブルなリュックサック１の要部拡大図であり、オープンファスナー６の取り付け状態を示したリュックサック底部の拡大図である。
【００３１】
図３に示すように、リバーシブルなリュックサック１は、前胴４とマチ５の継ぎ合わせ部に、一周にわたりオープンファスナー６を備えるように構成されている。オープンファスナー６は、スライダー６１と務歯（エレメント）６２と、テープ６３と開具とから構成され、開具は、蝶棒６４と箱棒６５と箱６６とから成る。
【００３２】
図３に示すように、実施形態に係るリバーシブルなリュックサック１では、オープンファスナー６を全開にすると、具体的にはスライダー６１を箱６６に付くまで下げ、蝶棒６４を抜くと上下のテープ６３，６３が離れ、マチ５から前胴４を取り外せる。また、実施形態に係るリバーシブルなリュックサック１では、オープンファスナー６を閉じると、具体的にはスライダー６１を箱６６に付くまで下げ、蝶棒６４を根元まで差し込み、蝶棒６４側を押さえたままスライダー６１を引き上げると上下の務歯（エレメント）６２，６２がかみ合い、前胴４をマチ５に取り付けられる。
【００３３】
図４は、実施形態に係るリバーシブルなリュックサック１のリバーシブルの仕組みを示す説明図である。図４に示すように、実施形態に係るリバーシブルなリュックサック１では、オープンファスナー６を全開にするとマチ５から前胴４を取り外せ、オープンファスナー６を閉じると前胴４をマチ５に取り付けられるために、取り外した前胴４を裏返して取り付け直せる。
【００３４】
図５は、実施形態に係るリバーシブルなリュックサック１のリバーシブルの仕組みを示す前胴４の説明図のうち、図５の（ａ）は前胴の表面を示す説明図であり、図５の（ｂ）は前胴の裏面を示す説明図である。
【００３５】
図５に示すように、前胴はその裏面４’が表面４と異なるデザイン、ここでは、裏面４’にメッシュポケット４１があり、湿った衣服などを分けて収納したいときに便利である。
【００３６】
実施形態に係るリバーシブルなリュックサック１では、前胴（裏面）４’にメッシュポケット４１があるので、例えば、部活の帰りに前胴（裏面）４’が表になるように取り付け直せば、メッシュポケット４１に入れた汗で湿った体操服やタオルなどの濡れ物で、リュックサックの中が汗臭くなることを防ぐことができる。
【００３７】
図６は、実施形態に係るリバーシブルなリュックサック１の荷物を詰めたり取り出したりする状態を示す説明図である。図６に示すように、リバーシブルなリュックサック１は、その縦割り方向に、ここでは、前胴４とマチ５の継ぎ合わせ部に、一周にわたりオープンファスナー６を備えているために、オープンファスナー６を大きく開けると、前胴４（図中、前胴（裏面）４’）が１８０度開く。そこで、実施形態に係るリバーシブルなリュックサック１では、前胴４を１８０度開き、リュックサックの中を見ながら荷物を詰められる。また、荷物を取り出すときも、前胴４を１８０度開き、リュックサックの中を見ながら必要な荷物だけを取り出せる。
【００３８】
以上、この発明の実施形態について説明したが、この発明は前記実施形態には限定されない。例えば、実施形態に係るリバーシブルなリュックサック１では、オープンファスナー６が前胴４とマチ５の継ぎ合わせ部に取り付けられている場合について説明したが、リュックサックの縦割り方向であれば、例えばマチ５や前胴４に取り付けても、マチ５と前胴４にかけて斜め縦割り方向に取り付けても構わない。
【００３９】
また、実施形態に係るリバーシブルなリュックサック１では、背胴３、前胴４、マチ５を別部材のように説明したが、背胴３、前胴４、マチ５は、その部分を示すものであり別部材でなくても構わない。
【００４０】
この発明においてリュックサックの縦方向とは、リュックサックを背負ったときの上下方向（頭がある方が上、足のある方が下である。）をいう。
【符号の説明】
【００４１】
１  リバーシブルなリュックサック
２  肩ひも
３  背胴
４  前胴
５  マチ
６  オープンファスナー
【図１】
2018038768.tif 000003
【図２】
2018038768.tif 000004
【図３】
2018038768.tif 000005
【図４】
2018038768.tif 000006
【図５】
2018038768.tif 000007
【図６】
2018038768.tif 000008